(57)【特許請求の範囲】
【請求項１】
光が通過する開口部を形成する開口形成部材と、
前記開口形成部材上で移動して前記開口部内に光通過開口を形成する羽根群と、
前記開口部の外側に配置され、前記開口部の外側で回動する腕部の両端にそれぞれ設けられた駆動ピンが前記羽根群に係合して動力を伝達する動力伝達部材と、
を備え、
前記羽根群は、直線状に動作して前記光通過開口のうち前記動力伝達部材側の部分及び前記動力伝達部材側とは反対側の部分を形成する一対の直進羽根と、前記直進羽根のそれぞれの直進動作における両側で前記開口部に対し前記直進羽根と同じ側から前記開口部の中心に向かって斜め方向に揺動する複数の揺動羽根とからなり、
前記一対の直進羽根における各直進羽根及びこれら各直進羽根と同じ側から前記開口部の中心に向かって揺動する前記複数の揺動羽根のそれぞれに設けられた穴を組として、組ごとに別々に単一の前記駆動ピンに係合し、前記一対の直進羽根における各直進羽根及びこれら各直進羽根と同じ側から前記開口部の中心に向かって揺動する前記複数の揺動羽根のそれぞれに設けられた長孔部の組に対し前記開口形成部材に設けられた単一のガイドピンが組ごとに別々に摺動可能に挿通されることで、前記一対の直進羽根及び前記複数の揺動羽根からなる前記羽根群は、前記一対の直進羽根及び前記複数の揺動羽根の全体が前記開口部の中心に向かって前記ガイドピンによってガイドされながら移動することを特徴とする光量調節装置。
【請求項２】
請求項１に記載の光量調節装置を、光が通過する光路に備えたことを特徴とする光学機器。
【発明の詳細な説明】
【技術分野】
【０００１】
本発明は、カメラや交換レンズ等の光学機器に搭載され、絞り装置等とも称される光量調節装置に関する。
【背景技術】
【０００２】
カメラや交換レンズ等の光学機器に搭載される光量調節装置（絞り装置）の性能は、その光学機器を用いて撮影される画像の画質に影響を与える。特に絞り羽根によって形成される実際に光が通過する絞り開口の形状（絞り開口形状）は、いわゆるボケやゴーストの形状を変化させる。すなわち、絞り開口形状が円形に近ければ、ボケやゴーストの形状も円形となるため、自然な画質が得られる。一方、絞り開口形状が円形とは大きく異なる四角形や扁平な形状であると、ボケやゴーストもそれと同様の形状を持って現れ、不自然な画質となる。
【０００３】
このように円形とは大きく異なる絞り開口形状は、２枚の絞り羽根によって絞り開口を形成する場合に生じ易い。このため、特許文献１には、円環状の駆動リングを絞り開口の周囲で回転させて多数枚の絞り羽根を駆動し、四角形よりも円形に近い多角形の絞り開口形状を形成する虹彩絞り装置が開示されている。また、特許文献２には、直進スライドする一対の直進絞り羽根と揺動（回転）する一対の揺動絞り羽根とを組み合わせて、四角形よりも円形に近い多角形の絞り開口形状を形成する絞り装置が開示されている。
【先行技術文献】
【特許文献】
【０００４】
【特許文献１】実開平２−４８９２８号公報
【特許文献２】特開２００９−１１５８３１号公報
【発明の概要】
【発明が解決しようとする課題】
【０００５】
しかしながら、特許文献１に開示されている虹彩絞り装置のような構成では、駆動リングを絞り開口の周囲に配置するとともに、周方向全体において多数枚の絞り羽根の退避スペースを必要とする。そのため、装置が周方向全体にわたって大型化し易い。また、特許文献２に開示されている絞り装置では、虹彩絞り装置に比べれば、直進絞り羽根の直進方向に直交する幅方向のサイズを抑えることはできる。しかし、虹彩絞りと同様に、絞り開口の周囲に配置された駆動リングに相当する環板を回転させて一対の直進絞り羽根と一対の揺動絞り羽根とを駆動する構成を有するため、装置の小型化に限界がある。
【０００６】
本発明は上述した課題に鑑みてなされたものであり、その目的は、良好な絞り開口形状を得つつ、装置の小型化を図ることができるようにした光量調節装置およびこれを備えた光学機器を提供することである。
【課題を解決するための手段】
【０００７】
本発明に係わる光量調節装置は、光が通過する開口部を形成する開口形成部材と、前記開口形成部材上で移動して前記開口部内に光通過開口を形成する羽根群と、前記開口部の外側に配置され、前記開口部の外側で回動する腕部の両端にそれぞれ設けられた駆動ピンが前記羽根群に係合して動力を伝達する動力伝達部材と、を備え、前記羽根群は、直線状に動作して前記光通過開口のうち前記動力伝達部材側の部分及び前記動力伝達部材側とは反対側の部分を形成する一対の直進羽根と、前記直進羽根のそれぞれの直進動作における両側で前記開口部に対し前記直進羽根と同じ側から前記開口部の中心に向かって斜め方向に揺動する複数の揺動羽根とからなり、前記一対の直進羽根における各直進羽根及びこれら各直進羽根と同じ側から前記開口部の中心に向かって揺動する前記複数の揺動羽根のそれぞれに設けられた穴を組として、組ごとに別々に単一の前記駆動ピンに係合し、前記一対の直進羽根における各直進羽根及びこれら各直進羽根と同じ側から前記開口部の中心に向かって揺動する前記複数の揺動羽根のそれぞれに設けられた長孔部の組に対し前記開口形成部材に設けられた単一のガイドピンが組ごとに別々に摺動可能に挿通されることで、前記一対の直進羽根及び前記複数の揺動羽根からなる前記羽根群は、前記一対の直進羽根及び前記複数の揺動羽根の全体が前記開口部の中心に向かって前記ガイドピンによってガイドされながら移動することを特徴とする。
【発明の効果】
【００１０】
本発明によれば、良好な絞り開口形状を得つつ、装置の小型化を図ることができるようにした光量調節装置およびこれを備えた光学機器を提供することが可能となる。
【図面の簡単な説明】
【００１１】
【図１】本発明の第１の実施形態に係る絞り装置の分解斜視図。
【図２】第１の実施形態における絞り開口の正面図。
【図３】第１の実施形態における絞り開口の斜視図。
【図４】第１の実施形態における一対の直進羽根の正面図。
【図５】第１の実施形態における第１羽根対の正面図。
【図６】第１の実施形態における第２羽根対の正面図。
【図７】第１の実施形態における絞り開口の変化を示す正面図。
【図８】第２の実施形態に係る絞り装置の分解斜視図。
【図９】第２の実施形態における一対の直進羽根の正面図。
【図１０】第２の実施形態における絞り開口の変化を示す正面図。
【図１１】第１及び第２の実施形態の総合的な構成を示す図。
【図１２】第３の実施形態に係る絞り装置の分解斜視図。
【図１３】第３の実施形態における第３羽根対の正面図。
【図１４】第３の実施形態における絞り開口の変化を示す正面図。
【図１５】第４の実施形態に係る絞り装置の分解斜視図。
【図１６】第４の実施形態における絞り開口の変化を示す正面図。
【図１７】第５の実施形態に係る絞り装置の分解斜視図。
【図１８】第５の実施形態における第４羽根対の正面図。
【図１９】第５の実施形態における絞り開口の変化を示す正面図。
【図２０】第６の実施形態に係る絞り装置の分解斜視図。
【図２１】第６の実施形態における絞り開口の変化を示す正面図。
【図２２】第１乃至第６の実施形態の総合的な構成を示す図。
【図２３】第１乃至第６の実施形態のいずれかの絞り装置を搭載した第７の実施形態の光学機器の概略図。
【図２４】本発明の第８の実施形態に係る絞り装置の分解斜視図。
【図２５】第８の実施形態における絞り開口の正面図。
【図２６】第８の実施形態における絞り開口の斜視図。
【図２７】第８の実施形態における一対の直進羽根の正面図。
【図２８】第８の実施形態における第１羽根対の正面図。
【図２９】第８の実施形態における絞り開口の変化を示す正面図。
【図３０】第９の実施形態に係る絞り装置の分解斜視図。
【図３１】第９の実施形態における第５羽根対の正面図。
【図３２】第９の実施形態における絞り開口の変化を示す正面図。
【発明を実施するための形態】
【００１２】
以下、本発明の実施形態について図面を参照しながら詳細に説明する。
【００１３】
＜第１の実施形態＞
図１は、本発明の光量調節装置の第１の実施形態である絞り装置の分解斜視図である。また、図２は、絞り装置を、絞り羽根（羽根部材）１０４〜１０９により形成される絞り開口を光が通過する方向（光軸方向）から見て示した図である。なお、図２では、図１中に示すカバー１１０を取り除いた状態を示している。さらに、図３は、図２に示した絞り装置を斜めに見て示した図である。また、これらの図において絞り装置の上下方向であって長手方向が、「光通過方向に直交する方向」に相当し、以下の説明では光軸直交方向と呼ぶことにする。また、これらの図における絞り装置の左右方向を幅方向と呼ぶことにする。
【００１４】
図１〜図３において、開口形成部材としての地板１０２には、光を通過させる固定開口１０２ｂが形成されている。地板１０２は、プレス加工や樹脂成形等によって製作されている。地板１０２の外面（光軸方向一方の面）のうち、固定開口１０２ｂから下方向に離れた位置（一端部側）には、絞り駆動部１０１が取り付けられている。絞り駆動部１０１は、例えば、不図示のロータマグネットと、このロータマグネットと一体で回転する動力伝達部材としての駆動レバー１０３と、通電されてロータマグネットを回転させる磁力を発生する不図示のコイルとを備えて構成される電磁駆動モータ（駆動源）である。または、ステッピングモータであってもよい。
【００１５】
駆動レバー１０３の羽根駆動ピン１０３ｉ，１０３ｊは、地板１０２を貫通して地板１０２の内面側に突出している。駆動レバー１０３は、固定開口１０２ｂから下方向に離れて位置する軸の回りに、所定の角度範囲で回動する。駆動レバー１０３は、樹脂成形等によって製作されている。
【００１６】
駆動レバー１０３は、回動中心の位置を挟んだ左右両側の先端に、絞り羽根１０４〜１０９を駆動するための伝達部としての羽根駆動ピン１０３ｉ，１０３ｊを別々に有する。羽根駆動ピン１０３ｉは、一対の直進羽根の一方である絞り羽根１０４と、第１の絞り羽根対を構成する絞り羽根１０５および絞り羽根１０９の３枚の絞り羽根に係合している。また、羽根駆動ピン１０３ｊは、一対の直進羽根の他方である絞り羽根１０７と、第２の絞り羽根対を構成する絞り羽根１０６および絞り羽根１０８の３枚の絞り羽根に係合している。
【００１７】
なお、絞り駆動部１０１の回転中心軸を地板１０２に貫通させた後に駆動レバー１０３を取り付け、駆動レバー１０３を地板１０２の内側に配置した構成としてもよい。
【００１８】
このように、本実施形態では、絞り駆動部１０１に取り付けられた１つの駆動レバー１０３に２つの羽根駆動ピン１０３ｉ，１０３ｊを設け、同一（共通）の羽根駆動ピン１０３ｉに、絞り羽根１０４，１０５，１０９を係合させている。また、他の同一（共通）の羽根駆動ピン１０３ｊに、絞り羽根１０６，１０７，１０８を係合させている。そして、このように複数（２つ）の羽根駆動ピン１０３ｉ，１０３ｊのそれぞれに３枚ずつの絞り羽根が係合した駆動レバー１０３を回動させることで、一対の直進羽根（絞り羽根１０４と絞り羽根１０７）を光軸直交方向に固定開口１０２ｂを挟み込むように移動させる。また、同時に第１の絞り羽根対（絞り羽根１０５と絞り羽根１０９）を一対の直進羽根の直進方向に対して交差する方向から固定開口部１０２ｂに対して斜め移動させる（固定開口部１０２ｂに進入させる）。さらに、同時に第２の絞り羽根対（絞り羽根１０６と絞り羽根１０８）を一対の直進羽根の直進方向に対して交差する方向から固定開口部１０２ｂに対して斜め移動させる（固定開口部１０２ｂに進入させる）。そして、これら６枚の絞り羽根１０４〜１０９によって円形に近い多角形状の絞り開口を形成するとともにそのサイズ（径）を変化させる。
【００１９】
以上の構成を採用することで、特許文献２のように、絞り開口の周囲に配置された駆動リング（環板）を回転させ、該駆動リングにおける互いに異なる駆動軸部によって直進絞り羽根や回転絞り羽根を駆動する場合に比べて、絞り装置の小型化に有利でありながらも、良好な形状の絞り開口を形成することができる。
【００２０】
なお、一対の直進羽根である絞り羽根１０４，１０７が光軸直交方向に移動するとは、絞り羽根１０４，１０７が幅方向に揺動（回転）したりシフトしたりしながら光軸直交方向に移動する場合（第１の実施形態）と光軸直交方向に直進（平行移動）する場合（後述の第２の実施形態）を含む意味である。
【００２１】
カバー１１０は、地板１０２との間に絞り羽根１０４〜１０９が移動する空間を形成するように地板１０２に取り付けられるカバーである。カバー１１０は、地板１０２に形成された固定開口１０２ｂに対応する開口１１０ｂを有する。カバー１１０は、プレス加工や樹脂成形等により製作されている。カバー１１０の内面（地板側の面）には、絞り羽根１０４〜１０９との摺動抵抗を低減するため、不図示のレールが形成されている。
【００２２】
本実施形態の絞り装置は、前述したように駆動レバー１０３を回動させることで絞り開口径を変化させることができ、さらに絞り開口を完全に閉じる（閉じきる）こともできる。このため、本実施形態の絞り装置は、シャッタ動作を行うことも可能である。つまり、本実施形態の絞り装置は、シャッタ装置として使用することもできる。
【００２３】
以下、各絞り羽根についてより詳細に説明する。絞り羽根１０４〜１０９は、プレス成形や樹脂成形等により製作される。
【００２４】
図４は、一対の直進羽根を示す図である。絞り羽根１０４、絞り羽根１０７は、一対の直進羽根を構成する羽根であり、固定開口１０２ｂを挟み込むように光通過開口に直交する方向に、ほぼ直線的（ほぼ直線状）に移動する。以下に、それぞれの絞り羽根について、詳細に説明する。
【００２５】
絞り羽根１０４（一対の直進羽根の一方）は、第１の係合部である円形の駆動孔部１０４ｉにおいて、駆動レバー１０３の羽根駆動ピン１０３ｉと回転可能に係合している。また、絞り羽根１０４（一対の直進羽根の一方）に光軸直交方向に延びるように形成された第２の係合部としてのガイド長孔部１０４ｆには、地板１０２に形成されたガイド部（ガイド軸部）としてのガイドピン１０２ｆが摺動可能に係合している。
【００２６】
駆動レバー１０３が上述した所定の角度範囲で回動すると、絞り羽根１０４（一対の直進羽根の一方）は、駆動孔部１０４ｉにおいて羽根駆動ピン１０３ｉから駆動力を受け、駆動孔部１０４ｉが係合した羽根駆動ピン１０３ｉを中心に回転移動し、ガイド長孔部１０４ｆがガイドピン１０２ｆによってガイドされながら、光軸直交方向に駆動される。
【００２７】
このとき羽根駆動ピン１０３ｉは、絞り駆動部１０１を中心として円弧を描くように移動するため、絞り羽根１０４（一対の直進羽根の一方）は、ガイドピン１０２ｆによって光軸直交方向にガイドされながらガイドピン１０２ｆを中心として幅方向に揺動する。すなわち、絞り羽根１０４（一対の直進羽根の一方）は、地板１０２の下端に達して固定開口１０２ｂから退避したときには、絞り羽根１０４（一対の直進羽根の一方）の駆動孔部１０４ｉは、固定開口１０２ｂの中心と駆動レバー１０３の回転中心軸とを結ぶ線に近づく方向に引き込まれるように揺動する。このため、本実施形態では、図４に示す地板１０２の左側の角部１０２ｒを、絞り羽根１０４（一対の直進羽根の一方）が揺動せずに単に直進移動する場合よりも内側に引っ込んだ円弧状に形成でき、その分、地板１０２を小さくすることができる。
【００２８】
また、絞り羽根１０４（一対の直進羽根の一方）を揺動させずに単に直進移動させる場合は、駆動孔部１０４ｉを絞り装置の幅方向に長い長孔とし、地板１０２に設けるガイドピン１０２ｆを２つにして直進移動できるようにし、絞り羽根１０４（一対の直進羽根の一方）に形成するガイド長孔部１０４ｆも２つ設ける必要がある。しかしながら、本実施形態では揺動しながら光軸直交方向に駆動されるため、地板１０２に設けるガイドピン１０２ｆを１つにすることができる。また、絞り羽根１０４（一対の直進羽根の一方）に形成するガイド長孔部１０４ｆも１つにできる。この結果、絞り羽根１０４（一対の直進羽根の一方）を小さくすることができ、その分さらに地板１０２を小さくすることができる。したがって、絞り装置の小型化が可能となり、この絞り装置を搭載したカメラや交換レンズ等の光学機器も小型化することができる。
【００２９】
絞り羽根１０４（一対の直進羽根の一方）のガイドピン１０２ｆを中心とした揺動の速さは、ガイド長孔部１０４ｆをカム溝形状に形成することによって調整が可能である。また、絞り羽根１０４（一対の直進羽根の一方）が揺動せずに単に直進移動する場合に比べ、本実施形態では、ガイド長孔部１０４ｆのカム溝形状の調整によって、良好な絞り開口形状を得るための絞り開口の形状の補正も可能である。
【００３０】
絞り羽根１０７（一対の直進羽根の他方）は、第３の係合部である円形の駆動孔部１０７ｊにおいて、駆動レバー１０３の羽根駆動ピン１０３ｊと回転可能に係合している。また、絞り羽根１０７（一対の直進羽根の他方）に光軸直交方向に延びるように形成された第４の係合部としてのガイド長孔部１０７ｃには、地板１０２に形成されたガイド部（案内部）としてのガイドピン１０２ｃが摺動可能に係合している（挿通されている）。
【００３１】
駆動レバー１０３が上述した所定の角度範囲で回動すると、絞り羽根１０７（一対の直進羽根の他方）は、駆動孔部１０７ｊにおいて羽根駆動ピン１０３ｊから駆動力を受け、駆動孔部１０７ｊが係合した羽根駆動ピン１０３ｊを中心に回転移動し、ガイド長孔部１０７ｃがガイドピン１０２ｃによってガイドされながら、光軸直交方向に駆動される。
【００３２】
このとき羽根駆動ピン１０３ｊは、絞り駆動部１０１を中心として円弧を描くように移動するため、絞り羽根１０７（一対の直進羽根の他方）は、ガイドピン１０２ｃによって光軸直交方向にガイドされながらガイドピン１０２ｃを中心として幅方向に揺動する。すなわち、絞り羽根１０７（一対の直進羽根の他方）は、地板１０２の下端に達して固定開口１０２ｂに進入したときには、絞り羽根１０７（一対の直進羽根の他方）の駆動孔部１０７ｊは、固定開口１０２ｂの中心と駆動レバー１０３の回転中心軸とを結ぶ線に近づく方向に引き込まれるように揺動する。このため、本実施形態では、図４に示す地板１０２の右側の角部１０２ｒを、絞り羽根１０７（一対の直進羽根の他方）が揺動せずに単に直進移動する場合よりも内側に引っ込んだ円弧状に形成でき、その分、地板１０２を小さくすることができる。
【００３３】
また、絞り羽根１０７（一対の直進羽根の他方）を揺動させずに単に直進移動させる場合は、駆動孔部１０７ｊを絞り装置の幅方向に長い長孔とし、地板１０２に設けるガイドピン１０２ｃを２つにして直進移動できるようにし、絞り羽根１０７（一対の直進羽根の他方）に形成するガイド長孔部１０７ｃも２つ設ける必要がある。しかしながら、本実施形態では揺動しながら光軸直交方向に駆動されるため、地板１０２に設けるガイドピン１０２ｃを１つにすることができる。また、絞り羽根１０７（一対の直進羽根の他方）に形成するガイド長孔部１０７ｃも１つにできる。この結果、絞り羽根１０７（一対の直進羽根の他方）を小さくすることができ、その分さらに地板１０２を小さくすることができる。したがって、絞り装置の小型化が可能となり、この絞り装置を搭載したカメラや交換レンズ等の光学機器も小型化することができる。
【００３４】
絞り羽根１０７（一対の直進羽根の他方）のガイドピン１０２ｃを中心とした揺動の速さは、ガイド長孔部１０７ｃをカム溝形状に形成することによって調整が可能である。また、絞り羽根１０７（一対の直進羽根の他方）が揺動せずに単に直進移動する場合に比べ、本実施形態では、ガイド長孔部１０７ｃのカム溝形状の調整によって、良好な絞り開口形状を得るための絞り開口の形状の補正も可能である。
【００３５】
また、絞り羽根１０７には、ガイドピン１０２ｄとの干渉を回避するための長穴部１０７ｄが形成されている。ガイドピン１０２ｄが長穴部１０７ｄを貫通させるようにすることで、絞り羽根１０７の形状をその強度を確保できる形状とすることができるとともに、ガイドピン１０２ｄを地板１０２に効率良く配置することができる。また、長穴部１０７ｄを絞り羽根１０７に形成することで、絞り羽根１０７を軽量化することができ、シャッタ動作に有効である。
【００３６】
図５は、第１の絞り羽根対を示す図である。絞り羽根１０５、絞り羽根１０９は、第１の絞り羽根対を構成し、駆動レバー１０３の羽根駆動ピン１０３ｉに、一端部同士が光軸方向に互いに重畳される。そして、一対の直進羽根の直進移動方向に対して、交差する方向から固定開口１０２ｂに対して斜め方向に移動する。以下に、それぞれの絞り羽根について、詳細に説明する。
【００３７】
絞り羽根１０５（第１の絞り羽根対の一方）は、第１の係合部である円形の駆動孔部１０５ｉにおいて、駆動レバー１０３の羽根駆動ピン１０３ｉと回転可能に係合している。また、絞り羽根１０５（第１の絞り羽根対の一方）に光軸直交方向に延びるように形成された第５の係合部としてのガイド長孔部１０５ｅには、地板１０２に形成されたガイド部（ガイド軸部）としてのガイドピン１０２ｅが摺動可能に係合している。
【００３８】
駆動レバー１０３が上述した所定の角度範囲で回動すると、絞り羽根１０５（第１の絞り羽根対の一方）は、駆動孔部１０５ｉにおいて羽根駆動ピン１０３ｉから駆動力を受け、駆動孔部１０５ｉが係合した羽根駆動ピン１０３ｉを中心に回転移動する。そして、ガイド長孔部１０５ｅがガイドピン１０２ｅによってガイドされながら、一対の直進羽根の直進方向に交差する方向（幅方向）から、固定開口１０２ｂに対して斜めに移動する。
【００３９】
絞り羽根１０５（第１の絞り羽根対の一方）のガイドピン１０２ｅを中心とした揺動の速さは、ガイド長孔部１０５ｅをカム溝形状に形成することによって調整が可能である。また、絞り羽根１０５（第１の絞り羽根対の一方）が揺動せずに単に直進移動する場合に比べ、本実施形態では、ガイド長孔部１０５ｅのカム溝形状の調整によって、良好な絞り開口形状を得るための絞り開口の形状の補正も可能である。
【００４０】
絞り羽根１０９（第１の絞り羽根対の他方）は、第１の係合部である円形の駆動孔部１０９ｉにおいて、駆動レバー１０３の羽根駆動ピン１０３ｉと回転可能に係合している。また、絞り羽根１０９（第１の絞り羽根対の他方）に光軸直交方向に延びるように形成された第５の係合部としてのガイド長孔部１０９ｅには、地板１０２に形成されたガイド部（ガイド軸部）としてのガイドピン１０２ｅが摺動可能に係合している。
【００４１】
駆動レバー１０３が上述した所定の角度範囲で回動すると、絞り羽根１０９（第１の絞り羽根対の他方）は、駆動孔部１０９ｉにおいて羽根駆動ピン１０３ｉから駆動力を受け、駆動孔部１０９ｉが係合した羽根駆動ピン１０３ｉを中心に回転移動する。そして、ガイド長孔部１０９ｅがガイドピン１０２ｅによってガイドされながら、一対の直進羽根の直進方向に交差する方向から、固定開口１０２ｂに対して斜めに移動する。
【００４２】
絞り羽根１０９（第１の絞り羽根対の他方）のガイドピン１０２ｅを中心とした揺動の速さは、ガイド長孔部１０９ｅをカム溝形状に形成することによって調整が可能である。また、絞り羽根１０９（第１の絞り羽根対の他方）が揺動せずに単に直進移動する場合に比べ、本実施形態では、ガイド長孔部１０９ｅのカム溝形状の調整によって、良好な絞り開口形状を得るための絞り開口の形状の補正も可能である。
【００４３】
第１の絞り羽根対はそれぞれ、同一の羽根駆動ピン１０３ｉに、駆動孔部１０５ｉと１０９ｉが重畳されて係合し、駆動力を与えられる。さらに、同一のガイドピン１０２ｅによってガイドされる。第１の絞り羽根対は、ガイド長孔部１０５ｅとガイド長孔部１０９ｅの形状を変えることで、一対の直進羽根の直進方向に対して、挟み込むように、それぞれ別の方向から斜めに固定開口１０２ｂ内に侵入する。
【００４４】
図６は、第２の絞り羽根対を示す図である。絞り羽根１０６、絞り羽根１０８は、第２の絞り羽根対を構成し、駆動レバー１０３の羽根駆動ピン１０３ｊに、一端部同士が光軸方向に互いに重畳される。そして、一対の直進羽根の直進移動方向に対して、交差する方向から固定開口１０２ｂに対して斜め方向に移動する。以下に、それぞれの絞り羽根について、詳細に説明する。
【００４５】
絞り羽根１０６（第２の絞り羽根対の一方）は、第３の係合部である円形の駆動孔部１０６ｊにおいて、駆動レバー１０３の羽根駆動ピン１０３ｊと回転可能に係合している。また、絞り羽根１０６（第２の絞り羽根対の一方）に光軸直交方向に延びるように形成された第５の係合部としてのガイド長孔部１０６ｄには、地板１０２に形成されたガイド部（ガイド軸部）としてのガイドピン１０２ｄが摺動可能に係合している。
【００４６】
駆動レバー１０３が上述した所定の角度範囲で回動すると、絞り羽根１０６（第２の絞り羽根対の一方）は、駆動孔部１０６ｊにおいて羽根駆動ピン１０３ｊから駆動力を受け、駆動孔部１０６ｊが係合した羽根駆動ピン１０３ｊを中心に回転移動する。そして、ガイド長孔部１０６ｄがガイドピン１０２ｄによってガイドされながら、一対の直進羽根の直進方向に交差する方向から、固定開口１０２ｂに対して斜めに移動する。
【００４７】
絞り羽根１０６（第２の絞り羽根対の一方）のガイドピン１０２ｄを中心とした揺動の速さは、ガイド長孔部１０６ｄをカム溝形状に形成することによって調整が可能である。また、絞り羽根１０６（第２の絞り羽根対の一方）が揺動せずに単に直進移動する場合に比べ、本実施形態では、ガイド長孔部１０６ｄのカム溝形状の調整によって、良好な絞り開口形状を得るための絞り開口の形状の補正も可能である。
【００４８】
絞り羽根１０８（第２の絞り羽根対の他方）は、第３の係合部である円形の駆動孔部１０８ｊにおいて、駆動レバー１０３の羽根駆動ピン１０３ｊと回転可能に係合している。また、絞り羽根１０８（第２の絞り羽根対の他方）に光軸直交方向に延びるように形成された第６の係合部としてのガイド長孔部１０８ｄには、地板１０２に形成されたガイド部（ガイド軸部）としてのガイドピン１０２ｄが摺動可能に係合している。
【００４９】
駆動レバー１０３が上述した所定の角度範囲で回動すると、絞り羽根１０８（第２の絞り羽根対の他方）は、駆動孔部１０８ｊにて羽根駆動ピン１０３ｊから駆動力を受け、駆動孔部１０８ｊが係合した羽根駆動ピン１０３ｊを中心に回転移動する。そして、ガイド長孔部１０８ｄがガイドピン１０２ｄによってガイドされながら、一対の直進羽根の直進方向に交差する方向から、固定開口１０２ｂに対して斜めに移動する。
【００５０】
絞り羽根１０８（第２の絞り羽根対の他方）のガイドピン１０２ｄを中心とした揺動の速さは、ガイド長孔部１０８ｄをカム溝形状に形成することによって調整が可能である。また、絞り羽根１０８（第２の絞り羽根対の他方）が揺動せずに単に直進移動する場合に比べ、本実施形態では、ガイド長孔部１０８ｄのカム溝形状の調整によって、良好な絞り開口形状を得るための絞り開口の形状の補正も可能である。
【００５１】
第２の絞り羽根対はそれぞれ、同一の羽根駆動ピン１０３ｊに、駆動孔部１０６ｊと１０８ｊが重畳されて係合し、駆動力を与えられる。さらに、同一のガイドピン１０２ｄによってガイドされる。第２の絞り羽根対は、ガイド長孔部１０６ｄとガイド長孔部１０８ｄの形状を変えることで、一対の直進羽根の直進方向に対して、挟み込むように、それぞれ別の方向から斜めに固定開口１０２ｂ内に侵入する。
【００５２】
そして、駆動レバー１０３の回動位置に対する絞り羽根１０４〜１０９の移動を、それぞれの羽根に形成されたガイド長孔部１０４ｆ，１０５ｅ，１０６ｄ，１０７ｃ，１０８ｄ，１０９ｅの形状で調整することができる。これにより、図７に示すように、開放絞り（左図）から閉じ切り（右図）までの各絞り状態において、絞り羽根１０４〜１０９の開口形成用縁部１０４ｂ，１０５ｂ，１０６ｂ，１０７ｂ，１０８ｂ，１０９ｂによって円形に近いまたはほぼ正六角形の絞り開口を形成することができる。
【００５３】
ここで、第１の実施形態が小型化に有効、且つ、耐久性に優れており、薄型化が可能な理由について説明する。
【００５４】
第１の実施形態では、駆動レバー１０３に係合する絞り羽根の駆動孔部は、全て丸穴である。駆動孔部が長穴である場合に対して、横幅を抑えることが可能である。そのため、第１の実施形態では、長手方向全域において、横幅の変化が無い。駆動レバー１０３の周辺を突出させることなくレイアウトすることが可能である。部品の凹凸を削減することができるため、部品が簡略化され、低コスト、高品質につながる。また、絞り装置を小型化することで、鏡筒やカメラへの組合せも容易になり、組立性が向上する。
【００５５】
さらに駆動レバー１０３に係合する絞り羽根の駆動孔部を、丸穴にすることで、耐久性が向上する。第１の実施形態は、ゆっくり絞り羽根を開閉し光量を調整する作動の他、シャッタ機能としても使用可能である。シャッタ動作において、駆動レバー１０３は羽根が閉じる方向に高速で回転する。そのため、絞り羽根の駆動孔部では、駆動レバー１０３の羽根駆動ピン１０３ｉ，１０３ｊから、高速なシャッタスピードを達成させるために必要な大きな力を受ける。また、高速なシャッタ作動のため、駆動レバー１０３は、地板１０２の不図示のストッパに衝突し、跳ね返る。絞り羽根の駆動孔部は、駆動レバー１０３の跳ね返りの際も大きな力を受ける。絞り羽根が閉じる方向に移動している状態で、急に駆動レバー１０３が絞り羽根が開く方向に跳ね返るため、絞り羽根の駆動孔部には大きな負荷が加わる。駆動孔部が長穴である場合、駆動孔部は駆動レバー１０３によって、引っ張られ、変形する。このため、駆動孔部が長穴である場合は、耐久回数に制限がでてしまう。駆動孔部が丸穴である場合、駆動孔部は駆動レバー１０３から力を受けるが、穴が歪むことは無いため、絞り羽根は変形しにくい。そのため、絞り羽根の耐久性が大幅に改善される。本実施形態のように、すべての駆動孔部を丸穴にすることが好ましい。また、羽根駆動ピンに係合する少なくとも１つ以上の丸穴の駆動孔部があるとよい。絞り羽根は、羽根駆動ピンとの係合部で重畳しているため、丸穴の駆動孔部の絞り羽根が他の絞り羽根の長穴係合部の変形を抑え込むことが可能である。
【００５６】
上述したように、第１の実施形態では、絞り羽根の耐久性が大幅に改善される。そのため、第１の実施形態では、絞り羽根の厚みを薄くすることが可能である。従来の虹彩絞りは、絞り羽根を多数枚重ね合わせ、円形の絞り開口を形成させること、さらに耐久性を確保するため、装置が肉厚になることが問題であった。第１の実施形態では、駆動レバー１０３から直接力を受ける絞り羽根の駆動孔部がすべて丸穴であるため、変形しにくい。そのため、絞り羽根の厚みを薄くすることが可能になり、装置の薄型化に有効である。
【００５７】
以上説明したように、本実施形態の絞り装置は、各絞り羽根を、駆動リング等の絞り開口の周囲で回転する部品を用いずに、１つの駆動レバー１０３を駆動させることで移動させる。そのため、絞り装置を長手方向および幅方向において小型化でき、さらに光軸方向での厚みを薄くすることができる。
【００５８】
なお、本実施形態では、絞り羽根１０４〜１０９に孔部や溝部を形成し、駆動レバー１０３や地板１０２に形成されたピンをこれらの孔部や溝部に係合（挿入）させる場合について説明した。しかし、絞り羽根にピンを設け、これを駆動レバーや地板に形成された孔部や溝部に挿入する構成を採用することも可能である。
【００５９】
＜第２の実施形態＞
図８は、本発明の光量調節装置の第２の実施形態である絞り装置の分解斜視図である。また、図９は、第２の実施形態の一対の直進羽根の正面図である。
【００６０】
絞り羽根２０４、絞り羽根２０７は、一対の直進羽根であり、地板２０２の固定開口２０２ｂを挟み込むように光通過開口に直交する方向に、直線的に移動する。
【００６１】
絞り羽根２０４は、長穴２０４ｉが駆動レバー２０３の羽根駆動ピン２０３ｉと係合し、長穴２０４ｅが地板２０２のガイドピン２０２ｅと係合し、長穴２０４ｆが地板のガイドピン２０２ｆと係合する。駆動レバー２０３を回動させることで、絞り羽根２０４は、羽根駆動ピン２０３ｉより力を受け、作動する。絞り羽根２０４は、２つのガイドピン２０２ｅと２０２ｆによって、移動方向をガイドされるため、固定開口２０２ｂに向かって直線的に移動する。
【００６２】
絞り羽根２０７は、長穴２０７ｊが駆動レバー２０３の羽根駆動ピン２０３ｊと係合し、長穴２０７ｃが地板２０２のガイドピン２０２ｃに係合し、長穴２０７ｄが地板２０２のガイドピン２０２ｄに係合する。駆動レバー２０３を回動させることで、絞り羽根２０７は、羽根駆動ピン２０３ｊより力を受け、作動する。絞り羽根２０７は、２つのガイドピン２０２ｃと２０２ｄによって、移動方向をガイドされるため、固定開口２０２ｂに向かって直線的に移動する。
【００６３】
第１の絞り羽根対、第２の絞り羽根対は、第１の実施形態と同様である。第２の実施形態では、図１０に示すように、開放絞り（左図）から閉じ切り（右図）までの各絞り状態において、円形に近いまたはほぼ正六角形の絞り開口を形成することができる。
【００６４】
＜第１及び第２の実施形態のまとめ＞
第１及び第２の実施形態の概念をまとめるにあたり、「揺動羽根」とは、図１の絞り羽根１０５および絞り羽根１０９のように、その回転中心となる羽根駆動ピン１０３ｉが動くことにより、全体として揺動する運動を行う絞り羽根のことを意味する。また、「回動羽根」とは、後述する図１２の絞り羽根３０６、絞り羽根３０８のように、その回転中心となる回転中心ピン３０２ｄ，３０２ｅが立設固定されていて、固定された中心の回りに回動する運動を行う絞り羽根のことを意味する。
【００６５】
第１及び第２の実施形態の概念は、図１１も参照して記載すると以下のように表わすことができる。なお、以下では、この概念を第１の実施形態を示す図１の符号を参照して記載する。
（ａ）光量調節装置は、光が通過する開口部（１０２ｂ）を形成する開口形成部材（１０２）と、開口形成部材上で移動して開口部内に光通過開口を形成する羽根群（１０４〜１０９）と、開口部の外側に配置され、羽根群に係合して動力を伝達する動力伝達部材（１０３）とを備える。
（ｂ）羽根群は、開口部（１０２ｂ）及び動力伝達部材（１０３）の回動中心を結ぶ直線上において開口部の両側に対向配置され開口部に対して進退する一対の直進羽根（１０４，１０７）と、一対の直進羽根の移動方向両側で開口部に対して斜め方向に揺動して進入する複数の揺動羽根（１０５，１０６，１０８，１０９）とを有する。
（ｃ）羽根群が有する第１羽根群（１０４，１０５，１０９）が係合する動力伝達部材（１０３）の一端部（１０３ｉ）が開口部（１０２ｂ）に接近し且つ羽根群が有する第２羽根群（１０６，１０７，１０８）が係合する動力伝達部材の他端部（１０３ｊ）が開口部（１０２ｂ）から離間する過程において、光通過開口のうち動力伝達部材側の半分を形成する第１開口縁部を第１羽根群（１０４，１０５，１０９）によって形成し（中央縁部が絞り羽根１０４により形成され、中央縁部以外の縁部が絞り羽根１０５，１０９により形成される）、且つ光通過開口のうち動力伝達部材側とは反対側の残り半分を形成する第２開口縁部を第２羽根群（１０６，１０７，１０８）によって形成し、第１羽根群は、一対の直進羽根のうち一方の直進羽根（１０４）と他の第１羽根対（１０５，１０９）とを含み、第２羽根群は、一対の直進羽根のうち他方の直進羽根（１０７）と他の第２羽根対（１０６，１０８）とを含み、他の第１羽根対及び他の第２羽根対の少なくとも一方の羽根対は、揺動羽根で構成されている。
【００６６】
つまり、ここで説明した光量調節装置の構成では、光通過開口の半分を形成する第１開口縁部を動力伝達部材による開口部への押し込み側の第１羽根群によって形成するために当該第１羽根群を動力伝達部材の一端部に集約して動作させ、残り半分を形成する第２開口縁部を動力伝達部材による開口部への引き込み側の第２羽根群によって形成するために当該第２羽根群を動力伝達部材の他端部に集約して動作させるようにしている。これにより、省スペースで無駄のない羽根の走行を実現できる他、良好な絞り開口形状を形成できる。
【００６７】
なお、第１及び第２の実施形態においては、上記の他の第１羽根対及び他の第２羽根対は、ともに「揺動羽根」で構成されており、「回動羽根」は用いていない。
【００６８】
＜第３の実施形態＞
図１２は、本発明の光量調節装置の第３の実施形態である絞り装置の分解斜視図である。図１３は、第３の実施形態の第３羽根対の正面図である。絞り羽根３０６、絞り羽根３０８は、第３の絞り羽根対を構成する。
【００６９】
絞り羽根３０６は、駆動カム溝部３０６ｊにおいて、駆動レバー３０３の羽根駆動ピン３０３ｊと摺動可能に係合している。また、絞り羽根３０６に形成された係合部である回転中心孔部３０６ｄには、地板３０２に形成された回転中心部（回転中心軸部）としての回転中心ピン３０２ｄが回転可能に係合している。
【００７０】
駆動レバー３０３が所定の角度範囲で回動すると、絞り羽根３０６は、図１３に示すように、駆動カム溝部３０６ｊが羽根駆動ピン３０３ｊから駆動力を受け、回転中心孔部３０６ｄが係合した回転中心ピン３０２ｄを中心として光軸直交面内で回転（旋回）する。この回転の速さは、駆動カム溝部３０６ｊの形状によって調整可能である。また、駆動カム溝部３０６ｊの形状によって絞り開口の形状の補正も可能である。
【００７１】
絞り羽根３０８は、駆動カム溝部３０８ｊにおいて、駆動レバー３０３の羽根駆動ピン３０３ｊと摺動可能に係合している。また、絞り羽根３０８に形成された係合部である回転中心孔部３０８ｅには、地板３０２に形成された回転中心部（回転中心軸部）としての回転中心ピン３０２ｅが回転可能に係合している。
【００７２】
駆動レバー３０３が所定の角度範囲で回動すると、絞り羽根３０８は、図１３に示すように、駆動カム溝部３０８ｊが羽根駆動ピン３０３ｊから駆動力を受け、回転中心孔部３０８ｅが係合した回転中心ピン３０２ｅを中心として光軸直交面内で回転（旋回）する。この回転の速さは、駆動カム溝部３０８ｊの形状によって調整可能である。また、駆動カム溝部３０８ｊの形状によって絞り開口の形状の補正も可能である。
【００７３】
一対の直進羽根は、第１の実施形態および第２の実施形態と同様あるいは、複合した形態である。第１の絞り羽根対は、第１の実施形態と同様である。
【００７４】
第３の実施形態では、図１４に示すように、開放絞り（左図）から閉じ切り（右図）までの各絞り状態において、円形に近いまたはほぼ正六角形の絞り開口を形成することができる。
【００７５】
＜第４の実施形態＞
図１５は、本発明の光量調節装置の第４の実施形態である絞り装置の分解斜視図である。
【００７６】
第４の実施形態は、第２の実施形態の一対の直進羽根と、第１の実施形態の第１の絞り羽根対と、第３の実施形態の第３の絞り羽根対と、を組み合わせた例である。
【００７７】
第４の実施形態では、図１６に示すように、開放絞り（左図）から閉じ切り（右図）までの各絞り状態において、円形に近いまたはほぼ正六角形の絞り開口を形成することができる。
【００７８】
なお、この第４の実施形態では、絞り羽根４０４（一対の直進羽根の一方）の長穴４０４ｉの脇および羽根全体のほぼ中央部には、羽根の表面からわずかに突出するエンボス加工部４０４ａ，４０４ｂが形成されている。また、絞り羽根４０７（一対の直進羽根の他方）の角部には、羽根の表面からわずかに突出するエンボス加工部４０７ａが形成されている。さらに、絞り羽根４０６の回転中心孔部４０６ｄの脇には、羽根の表面からわずかに突出するエンボス加工部４０６ａが形成されている。これらのエンボス加工部４０４ａ，４０４ｂ，４０７ａ，４０６ａは、重なり合う絞り羽根同士の接触面積を減らし、摺動抵抗を低減させる役割を果たす。
【００７９】
＜第５の実施形態＞
図１７は、本発明の光量調節装置の第５の実施形態である絞り装置の分解斜視図である。図１８は、第５の実施形態の第４羽根対の正面図である。絞り羽根５０６、絞り羽根５０８は、第４の絞り羽根対を構成する。
【００８０】
第４の絞り羽根対はそれぞれ、同一の羽根駆動ピン５０３ｊに、駆動孔部５０６ｊ，５０８ｊが重畳され係合し、駆動力を与えられる。
【００８１】
絞り羽根５０６は、一対の直進羽根の直進方向に対して、斜めに固定開口５０２ｂ内に侵入する。絞り羽根５０８は、一対の直進羽根の直進方向に対して、回転しつつ固定開口５０２ｂ内に侵入する。第４の絞り羽根対は、第２の絞り羽根対の一方と第３の絞り羽根対の一方を組み合わせた絞り羽根対である。
【００８２】
第５の実施形態では、図１９に示すように、開放絞り（左図）から閉じ切り（右図）までの各絞り状態において、円形に近いまたはほぼ正六角形の絞り開口を形成することができる。
【００８３】
＜第６の実施形態＞
図２０は、本発明の光量調節装置の第６の実施形態である絞り装置の分解斜視図である。
【００８４】
第６の実施形態は、基本的には第４の実施形態を示す図１５と同様の構成であり、一部に第１の実施形態または第５の実施形態の構成を組み合わせている。
【００８５】
図２０において、絞り羽根６０８には、係合部である回転中心孔部６０８ｅと駆動カム溝部６０８ｊが形成されている。また、回転中心孔部６０８ｅの脇には、羽根の表面からわずかに突出するエンボス加工部６０８ａが形成されている。なお、絞り羽根６０６は、図１５における絞り羽根４０６と同様の構成である。
【００８６】
また、絞り羽根６０７（一対の直進羽根の他方）は、図１５における絞り羽根４０７とほぼ同様の構成であるが、第１の実施形態における絞り羽根１０７のように、直線形状ではないカム形状のガイド長孔部６０７ｃと、ガイドピン１０２ｄとの干渉を回避するための長穴部６０７ｄが形成されている。この構成により、絞り羽根６０７は、第１の実施形態における絞り羽根１０７のようにわずかに揺動運動を行う。これにより、第１の実施形態と同様に地板１０２を小さくできる効果が得られる。
【００８７】
また、絞り羽根６０４（一対の直進羽根の一方）は、図１５における絞り羽根４０４とほぼ同様の構成であるが、絞り羽根４０４の長穴４０４ｉが丸穴６０４ｉになり、絞り羽根６０４は、絞り羽根４０４のように純粋な直線運動ではなく、わずかに揺動するように構成されている。それに対応して、絞り羽根４０４のガイド長孔４０４ｅに対応する長穴部６０４ｅは、ガイドピン１０２ｄとの干渉を回避するための長穴となっている。
【００８８】
また、絞り羽根６０４のほぼ中央部には、図１５における絞り羽根４０４のエンボス加工部４０４ｂと同様のエンボス加工部６０４ｂが形成されている。これにより、羽根同士の摺動抵抗が低減される。
【００８９】
第６の実施形態では、図２１に示すように、開放絞り（左図）から閉じ切り（右図）までの各絞り状態において、円形に近いまたはほぼ正六角形の絞り開口を形成することができる。
【００９０】
＜第３乃至第６の実施形態のまとめ＞
第３乃至第６の実施形態の概念をまとめるにあたり、第１及び第２の実施形態のまとめでも既に説明したように、「揺動羽根」とは、図１２の絞り羽根１０５および絞り羽根１０９のように、その回転中心となる羽根駆動ピン３０３ｉが動くことにより、全体として揺動する運動を行う絞り羽根のことを意味する。また、「回動羽根」とは、図１２の絞り羽根３０６、絞り羽根３０８のように、その回転中心となる回転中心ピン３０２ｄ，３０２ｅが立設固定されていて、固定された中心の回りに回動する運動を行う絞り羽根のことを意味する。
【００９１】
第３乃至第６の実施形態の概念は、図２２も参照して記載すると以下のように表わすことができる。なお、以下では、この概念を第３の実施形態を示す図１２の符号を参照して記載する。
（ａ）光量調節装置は、光が通過する開口部（３０２ｂ）を形成する開口形成部材（３０２）と、開口形成部材上で移動して開口部内に光通過開口を形成する羽根群（１０４，１０５，１０７，１０９，３０６，３０８）と、開口部の外側に配置され、羽根群に係合して動力を伝達する動力伝達部材（３０３）とを備える。
（ｂ）羽根群は、開口部（３０２ｂ）及び動力伝達部材（３０３）の回動中心を結ぶ直線上において開口部の両側に対向配置され開口部に対して進退する一対の直進羽根（１０４，１０７）と、一対の直進羽根の移動方向両側で開口部に対して斜め方向に揺動して進入する複数の揺動羽根（１０５，１０９，３０６，３０８）とを有する。
（ｃ）羽根群が有する第１羽根群（１０４，１０５，１０９）が係合する動力伝達部材（３０３）の一端部（３０３ｉ）が開口部（３０２ｂ）に接近し且つ羽根群が有する第２羽根群（３０６，１０７，３０８）が係合する動力伝達部材の他端部（３０３ｊ）が開口部（３０２ｂ）から離間する過程において、光通過開口のうち動力伝達部材側の半分の部分を形成する第１開口縁部を第１羽根群（１０４，１０５，１０９）によって形成し、且つ光通過開口のうち動力伝達部材側とは反対側の残り半分を形成する第２開口縁部を第２羽根群（１０７，３０６，３０８）によって形成し、第１羽根群は、一対の直進羽根のうち一方の直進羽根（１０４）と他の第１羽根対（１０５，１０９）とを含み、第２羽根群は、一対の直進羽根のうち他方の直進羽根（１０７）と他の第２羽根対（３０６，３０８）とを含み、他の第１羽根対及び他の第２羽根対の少なくとも一方の羽根対（１０５，１０９）は、揺動羽根で構成されている。
【００９２】
なお、第３乃至第６の実施形態においては、上記の他の第１羽根対は「揺動羽根」で構成されており、他の第２羽根対は「回動羽根」で構成されている。
【００９３】
＜第７の実施形態＞
図２３は、第１乃至第６の実施形態で説明した絞り装置のいずれかを搭載した光学機器としてのビデオカメラ（撮像装置）の概略構成を示している。
【００９４】
ビデオカメラのレンズ鏡筒部２１内には、変倍レンズ３２、光路を絞る第１乃至第５の実施形態のいずれかの絞り装置２０、およびフォーカスレンズ２９を含む撮影光学系が収容されている。
【００９５】
ＣＣＤセンサやＣＭＯＳセンサ等の光電変換素子により構成される撮像素子２５は、撮影光学系により形成された被写体像を光電変換して電気信号を出力する。絞り装置２０の絞り開口を変化させたりＮＤフィルタを進退させたりすることにより、撮像素子２５上に形成される被写体像の明るさ（つまりは撮像素子２５に到達する光量）を適正に設定することができる。
【００９６】
撮像素子２５から出力された電気信号は、画像処理回路２６において種々の画像処理を施される。これにより、映像信号（ビデオ出力）が生成される。
【００９７】
コントローラ２２は、不図示のズームスイッチがユーザにより操作されることに応じて、ズームモータ３１を制御し、変倍レンズ３２を移動させて変倍（ズーミング）を行わせる。また、コントローラ２２は、映像信号のコントラストを検出し、そのコントラストに応じてフォーカスモータ２８を制御し、フォーカスレンズ２９を移動させてオートフォーカスを行う。
【００９８】
さらに、コントローラ２２は、映像信号のうち輝度情報に基づいて、絞り装置２０の絞り駆動部１０１（およびＮＤ駆動部）を制御し、光量を調節する。これにより、撮影時のボケやゴーストを自然な形状にすることができ、高画質の映像を記録することができる。また、レンズ鏡筒部に内蔵された絞り装置２０が小型であるので、レンズ鏡筒部およびビデオカメラ全体の小型化を図ることができる。
【００９９】
上記の第１乃至第７の実施形態によれば、光通過方向に直交する方向に移動する一対の直進羽根と、一対の直進羽根の進行方向に対して交差する方向から斜めに移動する他の絞り羽根対との組み合わせによって良好な形状の絞り開口を形成することができる。
【０１００】
しかも、絞り開口から光通過方向に直交する方向に離れた位置に回転中心を持つ駆動レバーに設けた同一の伝達部で両絞り羽根を駆動することにより、絞り開口の周囲で駆動リング等の部材を回転させる構成に比べて、装置を全体的に小型化することができる。
【０１０１】
また、動力伝達部材である駆動レバーのピンに係合する絞り羽根の駆動孔部をすべて丸穴にすることで、駆動レバー周辺の装置の突出を抑制し、装置を全体的に小型化することができる。
【０１０２】
さらに、駆動レバーに係合する絞り羽根の駆動孔部を丸穴にし、絞り羽根の変形を防止することで、装置の耐久性を向上することができる。このことにより、従来装置より薄い絞り羽根を採用することができるようになるため、装置の薄型化が可能である。さらに絞り羽根を薄くすることで、絞り開口を形成する絞り羽根の端面反射を抑制することができるため、端面の反射光による光学系への影響を低減することができる。
【０１０３】
また、上記各実施形態に係る発明は、換言すると、
光が通過する開口部を形成する開口形成部材と、
前記開口形成部材上で移動して前記開口部内に光通過開口を形成する羽根群と、
前記開口部の外側に配置され、前記羽根群に係合して動力を伝達する動力伝達部材と、
前記動力伝達部材の一端部に係合し、前記開口部内に光通過開口を形成する羽根群と
を備え、
前記羽根群は、直線状に動作する直進羽根と、前記直進羽根の直進動作における両側から前記光開口の中心に向かって揺動する揺動羽根とからなり、
前記羽根群によって、前記光通過開口における前記動力伝達部材側の半分もしくは前記動力伝達部材とは反対側の半分を形成することを特徴とする光量調節装置である。
【０１０４】
すなわち、動力伝達部材の一端部に係合された羽根群によって、光通過開口のうち動力伝達部材側の半分もしくは動力伝達部材とは反対側の半分を形成することによって、羽根群が係合される動力伝達部材の一端部付近に羽根群を回動させるためのスペースを設ける必要がなく、省スペース化を図ることができる。
【０１０５】
特に、動力伝達部材の一端部と他端部の両方に係合される羽根群を直進跳人揺動羽根とで構成すれば、動力伝達部材の両端部付近に羽根群を回動させるためのスペースを設ける必要がなく、更なる省スペース化を図ることができる。
【０１０６】
＜第８の実施形態＞
図２４は、本発明の光量調節装置の第８の実施形態である絞り装置の分解斜視図である。また、図２５は、絞り装置を、絞り羽根（羽根部材）１１０４〜１１０７により形成される絞り開口を光が通過する方向（光軸方向）から見て示した図である。なお、図２５では、図２４中に示すカバー１１１０を取り除いた状態を示している。さらに、図２６は、図２５に示した絞り装置を斜めに見て示した図である。また、これらの図において絞り装置の上下方向であって長手方向が、「光通過方向に直交する方向」に相当し、以下の説明では光軸直交方向と呼ぶことにする。また、これらの図における絞り装置の左右方向を幅方向と呼ぶことにする。
【０１０７】
図２４〜図２６において、ベース部材としての地板１１０２には、光を通過させる固定開口１１０２ｂが形成されている。地板１１０２は、プレス加工や樹脂成形等によって製作されている。地板１１０２の外面（光軸方向一方の面）のうち、固定開口１１０２ｂから下方向に離れた位置（一端部側）には、絞り駆動部１１０１が取り付けられている。絞り駆動部１１０１は、例えば、不図示のロータマグネットと、このロータマグネットと一体で回転する駆動レバー１１０３と、通電されてロータマグネットを回転させる磁力を発生する不図示のコイルとを備えて構成される電磁駆動モータ（駆動源）である。または、ステッピングモータであってもよい。
【０１０８】
駆動レバー１１０３の羽根駆動ピン１１０３ｉ，１１０３ｊは、地板１１０２を貫通して地板１１０２の内面側に突出している。駆動レバー１１０３は、固定開口１１０２ｂから下方向に離れて位置する軸の回りに、所定の角度範囲で回動する。駆動レバー１１０３は、樹脂成形等によって製作されている。
【０１０９】
駆動レバー１１０３は、回動中心の位置を挟んだ左右両側の先端に、絞り羽根１１０４〜１１０７を駆動するための伝達部としての羽根駆動ピン１１０３ｉ，１１０３ｊを別々に有する。羽根駆動ピン１１０３ｉは、一対の直進羽根の一方である絞り羽根１１０４と、第１の絞り羽根対を構成する絞り羽根１１０５および絞り羽根１１０７の３枚の絞り羽根に係合している。また、羽根駆動ピン１１０３ｊは、一対の直進羽根の他方である絞り羽根１１０６に係合している。
【０１１０】
なお、絞り駆動部１１０１の回転中心軸を地板１１０２に貫通させた後に駆動レバー１１０３を取り付け、駆動レバー１１０３を地板１１０２の内側に配置した構成としてもよい。
【０１１１】
このように、本実施形態では、絞り駆動部１１０１に取り付けられた１つの駆動レバー１１０３に２つの羽根駆動ピン１１０３ｉ，１１０３ｊを設け、同一（共通）の羽根駆動ピン１１０３ｉに、絞り羽根１１０４，１１０５，１１０７を係合させている。また、他の羽根駆動ピン１１０３ｊに、絞り羽根１１０６を係合させている。そして、このように複数（２つ）の羽根駆動ピン１１０３ｉ，１１０３ｊのそれぞれに絞り羽根が係合した駆動レバー１１０３を回動させることで、一対の直進羽根（絞り羽根１１０４と絞り羽根１１０６）を光軸直交方向に固定開口１１０２ｂを挟み込むように移動させる。また、同時に第１の絞り羽根対（絞り羽根１１０５と絞り羽根１１０７）を一対の直進羽根の直進方向に対して交差する方向から固定開口部１１０２ｂに対して斜め移動させる（固定開口部１１０２ｂに進入させる）。そして、これら４枚の絞り羽根１１０４〜１１０７によって円形に近い多角形状の絞り開口を形成するとともにそのサイズ（径）を変化させる。
【０１１２】
以上の構成を採用することで、特許文献２のように、絞り開口の周囲に配置された駆動リング（環板）を回転させ、該駆動リングにおける互いに異なる駆動軸部によって直進絞り羽根や回転絞り羽根を駆動する場合に比べて、絞り装置の小型化に有利でありながらも、良好な形状の絞り開口を形成することができる。
【０１１３】
なお、一対の直進羽根である絞り羽根１１０４，１１０６が光軸直交方向に移動するとは、絞り羽根１１０４，１１０６が幅方向に揺動（回転）したりシフトしたりしながら光軸直交方向に移動する場合と光軸直交方向に直進（平行移動）する場合を含む意味である。
【０１１４】
カバー１１１０は、地板１１０２との間に絞り羽根１１０４〜１１０７が移動する空間を形成するように地板１１０２に取り付けられるカバーである。カバー１１１０は、地板１１０２に形成された固定開口１１０２ｂに対応する開口１１１０ｂを有する。カバー１１１０は、プレス加工や樹脂成形等により製作されている。カバー１１１０の内面（地板側の面）には、絞り羽根１１０４〜１１０７との摺動抵抗を低減するため、不図示のレールが形成されている。
【０１１５】
本実施形態の絞り装置は、前述したように駆動レバー１１０３を回動させることで絞り開口径を変化させることができ、さらに絞り開口を完全に閉じる（閉じきる）こともできる。このため、本実施形態の絞り装置は、シャッタ動作を行うことも可能である。つまり、本実施形態の絞り装置は、シャッタ装置として使用することもできる。
【０１１６】
以下、各絞り羽根についてより詳細に説明する。絞り羽根１１０４〜１１０７は、プレス成形や樹脂成形等により製作される。
【０１１７】
図２７は、一対の直進羽根を示す図である。絞り羽根１１０４、絞り羽根１１０６は、一対の直進羽根を構成する羽根であり、固定開口１１０２ｂを挟み込むように光通過開口に直交する方向に、ほぼ直線的（ほぼ直線状）に移動する。以下に、それぞれの絞り羽根について、詳細に説明する。
【０１１８】
絞り羽根１１０４（一対の直進羽根の一方）は、第１の係合部である円形の駆動孔部１１０４ｉにおいて、駆動レバー１１０３の羽根駆動ピン１１０３ｉと回転可能に係合している。また、絞り羽根１１０４（一対の直進羽根の一方）に光軸直交方向に延びるように形成された第２の係合部としてのガイド長孔部１１０４ｆには、地板１１０２に形成されたガイド部（ガイド軸部）としてのガイドピン１１０２ｆが摺動可能に係合している。
【０１１９】
駆動レバー１１０３が上述した所定の角度範囲で回動すると、絞り羽根１１０４（一対の直進羽根の一方）は、駆動孔部１１０４ｉにおいて羽根駆動ピン１１０３ｉから駆動力を受け、駆動孔部１１０４ｉが係合した羽根駆動ピン１１０３ｉを中心に回転移動し、ガイド長孔部１１０４ｆがガイドピン１１０２ｆによってガイドされながら、光軸直交方向に駆動される。
【０１２０】
このとき羽根駆動ピン１１０３ｉは、絞り駆動部１１０１を中心として円弧を描くように移動するため、絞り羽根１１０４（一対の直進羽根の一方）は、ガイドピン１１０２ｆによって光軸直交方向にガイドされながらガイドピン１１０２ｆを中心として幅方向に揺動する。すなわち、絞り羽根１１０４（一対の直進羽根の一方）は、地板１１０２の下端に達して固定開口１１０２ｂから退避したときには、絞り羽根１１０４（一対の直進羽根の一方）の駆動孔部１１０４ｉは、固定開口１１０２ｂの中心と駆動レバー１１０３の回転中心軸とを結ぶ線に近づく方向に引き込まれるように揺動する。このため、本実施形態では、図２７に示す地板１１０２の左側の角部１１０２ｒを、絞り羽根１１０４（一対の直進羽根の一方）が揺動せずに単に直進移動する場合よりも内側に引っ込んだ円弧状に形成でき、その分、地板１１０２を小さくすることができる。
【０１２１】
また、絞り羽根１１０４（一対の直進羽根の一方）を揺動させずに単に直進移動させる場合は、駆動孔部１１０４ｉを絞り装置の幅方向に長い長孔とし、地板１１０２に設けるガイドピン１１０２ｆを２つにして直進移動できるようにし、絞り羽根１１０４（一対の直進羽根の一方）に形成するガイド長孔部１１０４ｆも２つ設ける必要がある。しかしながら、本実施形態では揺動しながら光軸直交方向に駆動されるため、地板１１０２に設けるガイドピン１１０２ｆを１つにすることができる。また、絞り羽根１１０４（一対の直進羽根の一方）に形成するガイド長孔部１１０４ｆも１つにできる。この結果、絞り羽根１１０４（一対の直進羽根の一方）を小さくすることができ、その分さらに地板１１０２を小さくすることができる。したがって、絞り装置の小型化が可能となり、この絞り装置を搭載したカメラや交換レンズ等の光学機器も小型化することができる。
【０１２２】
絞り羽根１１０４（一対の直進羽根の一方）のガイドピン１１０２ｆを中心とした揺動の速さは、ガイド長孔部１１０４ｆをカム溝形状に形成することによって調整が可能である。また、絞り羽根１１０４（一対の直進羽根の一方）が揺動せずに単に直進移動する場合に比べ、本実施形態では、ガイド長孔部１１０４ｆのカム溝形状の調整によって、良好な絞り開口形状を得るための絞り開口の形状の補正も可能である。
【０１２３】
絞り羽根１１０６（一対の直進羽根の他方）は、第３の係合部である円形の駆動孔部１１０６ｊにおいて、駆動レバー１１０３の羽根駆動ピン１１０３ｊと回転可能に係合している。また、絞り羽根１１０６（一対の直進羽根の他方）に光軸直交方向に延びるように形成された第４の係合部としてのガイド長孔部１１０６ｃには、地板１１０２に形成されたガイド部（案内部）としてのガイドピン１１０２ｃが摺動可能に係合している（挿通されている）。
【０１２４】
駆動レバー１１０３が上述した所定の角度範囲で回動すると、絞り羽根１１０６（一対の直進羽根の他方）は、駆動孔部１１０６ｊにおいて羽根駆動ピン１１０３ｊから駆動力を受け、駆動孔部１１０６ｊが係合した羽根駆動ピン１１０３ｊを中心に回転移動し、ガイド長孔部１１０６ｃがガイドピン１１０２ｃによってガイドされながら、光軸直交方向に駆動される。
【０１２５】
このとき羽根駆動ピン１１０３ｊは、絞り駆動部１１０１を中心として円弧を描くように移動するため、絞り羽根１１０６（一対の直進羽根の他方）は、ガイドピン１１０２ｃによって光軸直交方向にガイドされながらガイドピン１１０２ｃを中心として幅方向に揺動する。すなわち、絞り羽根１１０６（一対の直進羽根の他方）は、地板１１０２の下端に達して固定開口１１０２ｂから退避したときには、絞り羽根１１０６（一対の直進羽根の他方）の駆動孔部１１０６ｊは、固定開口１１０２ｂの中心と駆動レバー１１０３の回転中心軸とを結ぶ線に近づく方向に引き込まれるように揺動する。このため、本実施形態では、図２７に示す地板１１０２の右側の角部１１０２ｒを、絞り羽根１１０６（一対の直進羽根の他方）が揺動せずに単に直進移動する場合よりも内側に引っ込んだ円弧状に形成でき、その分、地板１１０２を小さくすることができる。
【０１２６】
また、絞り羽根１１０６（一対の直進羽根の他方）を揺動させずに単に直進移動させる場合は、駆動孔部１１０６ｊを絞り装置の幅方向に長い長孔とし、地板１１０２に設けるガイドピン１１０２ｃを２つにして直進移動できるようにし、絞り羽根１１０６（一対の直進羽根の他方）に形成するガイド長孔部１１０６ｃも２つ設ける必要がある。しかしながら、本実施形態では揺動しながら光軸直交方向に駆動されるため、地板１１０２に設けるガイドピン１１０２ｃを１つにすることができる。また、絞り羽根１１０６（一対の直進羽根の他方）に形成するガイド長孔部１１０６ｃも１つにできる。この結果、絞り羽根１１０６（一対の直進羽根の他方）を小さくすることができ、その分さらに地板１１０２を小さくすることができる。したがって、絞り装置の小型化が可能となり、この絞り装置を搭載したカメラや交換レンズ等の光学機器も小型化することができる。
【０１２７】
絞り羽根１１０６（一対の直進羽根の他方）のガイドピン１１０２ｃを中心とした揺動の速さは、ガイド長孔部１１０６ｃをカム溝形状に形成することによって調整が可能である。また、絞り羽根１１０６（一対の直進羽根の他方）が揺動せずに単に直進移動する場合に比べ、本実施形態では、ガイド長孔部１１０６ｃのカム溝形状の調整によって、良好な絞り開口形状を得るための絞り開口の形状の補正も可能である。
【０１２８】
また、絞り羽根１１０６には、ガイドピン１１０２ｄとの干渉を回避するための長穴部１１０６ｄが形成されている。ガイドピン１１０２ｄを長穴部１１０６ｄを貫通させるようにすることで、絞り羽根１１０６の形状をその強度を確保できる形状とすることができるとともに、ガイドピン１１０２ｄを地板１１０２に効率良く配置することができる。また、長穴部１１０６ｄを絞り羽根１１０６に形成することで、絞り羽根１１０６を軽量化することができ、シャッタ動作に有効である。
【０１２９】
図２８は、第１の絞り羽根対を示す図である。絞り羽根１１０５、絞り羽根１１０７は、第１の絞り羽根対を構成し、駆動レバー１１０３の羽根駆動ピン１１０３ｉに、一端部同士が光軸方向に互いに重畳される。そして、一対の直進羽根の直進移動方向に対して、交差する方向から固定開口１１０２ｂに対して斜め方向に移動する。以下に、それぞれの絞り羽根について、詳細に説明する。
【０１３０】
絞り羽根１１０５（第２の絞り羽根対の一方）は、第１の係合部である円形の駆動孔部１１０５ｉにおいて、駆動レバー１１０３の羽根駆動ピン１１０３ｉと回転可能に係合している。また、絞り羽根１１０５（第１の絞り羽根対の一方）に光軸直交方向に延びるように形成された第５の係合部としてのガイド長孔部１１０５ｅには、地板１１０２に形成されたガイド部（ガイド軸部）としてのガイドピン１１０２ｅが摺動可能に係合している。
【０１３１】
駆動レバー１１０３が上述した所定の角度範囲で回動すると、絞り羽根１１０５（第１の絞り羽根対の一方）は、駆動孔部１１０５ｉにおいて羽根駆動ピン１１０３ｉから駆動力を受け、駆動孔部１１０５ｉが係合した羽根駆動ピン１１０３ｉを中心に回転移動する。そして、ガイド長孔部１１０５ｅがガイドピン１１０２ｅによってガイドされながら、一対の直進羽根の直進方向に交差する方向から、固定開口１１０２ｂに対して斜めに移動する。
【０１３２】
絞り羽根１１０５（第１の絞り羽根対の一方）のガイドピン１１０２ｅを中心とした揺動の速さは、ガイド長孔部１１０５ｅをカム溝形状に形成することによって調整が可能である。また、絞り羽根１１０５（第１の絞り羽根対の一方）が揺動せずに単に直進移動する場合に比べ、本実施形態では、ガイド長孔部１１０５ｅのカム溝形状の調整によって、良好な絞り開口形状を得るための絞り開口の形状の補正も可能である。
【０１３３】
絞り羽根１１０７（第１の絞り羽根対の他方）は、第１の係合部である円形の駆動孔部１１０７ｉにおいて、駆動レバー１１０３の羽根駆動ピン１１０３ｉと回転可能に係合している。また、絞り羽根１１０７（第１の絞り羽根対の他方）に光軸直交方向に延びるように形成された第５の係合部としてのガイド長孔部１１０７ｅには、地板１１０２に形成されたガイド部（ガイド軸部）としてのガイドピン１１０２ｅが摺動可能に係合している。
【０１３４】
駆動レバー１１０３が上述した所定の角度範囲で回動すると、絞り羽根１１０７（第１の絞り羽根対の他方）は、駆動孔部１１０７ｉにおいて羽根駆動ピン１１０３ｉから駆動力を受け、駆動孔部１１０７ｉが係合した羽根駆動ピン１１０３ｉを中心に回転移動する。そして、ガイド長孔部１１０７ｅがガイドピン１１０２ｅによってガイドされながら、一対の直進羽根の直進方向に交差する方向から、固定開口１１０２ｂに対して斜めに移動する。
【０１３５】
絞り羽根１１０７（第１の絞り羽根対の他方）のガイドピン１１０２ｅを中心とした揺動の速さは、ガイド長孔部１１０７ｅをカム溝形状に形成することによって調整が可能である。また、絞り羽根１１０７（第１の絞り羽根対の他方）が揺動せずに単に直進移動する場合に比べ、本実施形態では、ガイド長孔部１１０７ｅのカム溝形状の調整によって、良好な絞り開口形状を得るための絞り開口の形状の補正も可能である。
【０１３６】
第１の絞り羽根対はそれぞれ、同一の羽根駆動ピン１１０３ｉに、駆動孔部１１０５ｉと１１０７ｉが重畳されて係合し、駆動力を与えられる。さらに、同一のガイドピン１１０２ｅによってガイドされる。第１の絞り羽根対は、ガイド長孔部１１０５ｅとガイド長孔部１１０７ｅの形状を変えることで、一対の直進羽根の直進方向に対して、挟み込むように、それぞれ別の方向から斜めに固定開口１１０２ｂ内に侵入する。
【０１３７】
そして、駆動レバー１１０３の回動位置に対する絞り羽根１１０４〜１１０７の移動を、それぞれの羽根に形成されたガイド長孔部１１０４ｆ，１１０５ｅ，１１０６ｃ，１１０７ｅの形状で調整することができる。これにより、図２９に示すように、開放絞り（左図）から閉じ切り（右図）までの各絞り状態において、絞り羽根１１０４〜１１０７の開口形成用縁部１１０４ｂ，１１０５ｂ，１１０６ｂ，１１０７ｂによって円形に近いまたはほぼ正六角形の絞り開口を形成することができる。
【０１３８】
ここで、第８の実施形態が小型化に有効、且つ、耐久性に優れており、薄型化が可能な理由について説明する。
【０１３９】
第８の実施形態では、駆動レバー１１０３に係合する絞り羽根の駆動孔部は、全て丸穴である。駆動孔部が長穴である場合に対して、横幅を抑えることが可能である。そのため、第８の実施形態では、長手方向全域において、横幅の変化が無い。駆動レバー１１０３の周辺を突出させることなくレイアウトすることが可能である。部品の凹凸を削減することができるため、部品が簡略化され、低コスト、高品質につながる。また、絞り装置を小型化することで、鏡筒やカメラへの組合せも容易になり、組立性が向上する。
【０１４０】
さらに駆動レバー１１０３に係合する絞り羽根の駆動孔部を、丸穴にすることで、耐久性が向上する。第８の実施形態は、ゆっくり絞り羽根を開閉し光量を調整する作動の他、シャッタ機能としても使用可能である。シャッタ動作において、駆動レバー１１０３は羽根が閉じる方向に高速で回転する。そのため、絞り羽根の駆動孔部では、駆動レバー１１０３の羽根駆動ピン１１０３ｉ，１１０３ｊから、高速なシャッタスピードを達成させるために必要な大きな力を受ける。また、高速なシャッタ作動のため、駆動レバー１１０３は、地板１１０２の不図示のストッパに衝突し、跳ね返る。絞り羽根の駆動孔部は、駆動レバー１１０３の跳ね返りの際も大きな力を受ける。絞り羽根が閉じる方向に移動している状態で、急に駆動レバー１１０３が絞り羽根が開く方向に跳ね返るため、絞り羽根の駆動孔部には大きな負荷が加わる。駆動孔部が長穴である場合、駆動孔部は駆動レバー１１０３によって、引っ張られ、変形する。このため、駆動孔部が長穴である場合は、耐久回数に制限がでてしまう。駆動孔部が丸穴である場合、駆動孔部は駆動レバー１１０３から力を受けるが、穴が歪むことは無いため、絞り羽根は変形しにくい。そのため、絞り羽根の耐久性が大幅に改善される。本実施形態のように、すべての駆動孔部を丸穴にすることが好ましい。また、羽根駆動ピンに係合する少なくとも１つ以上の丸穴の駆動孔部があるとよい。絞り羽根は、羽根駆動ピンとの係合部で重畳しているため、丸穴の駆動孔部の絞り羽根が他の絞り羽根の長穴係合部の変形を抑え込むことが可能である。
【０１４１】
上述したように、第８の実施形態では、絞り羽根の耐久性が大幅に改善される。そのため、第８の実施形態では、絞り羽根の厚みを薄くすることが可能である。従来の虹彩絞りは、絞り羽根を多数枚重ね合わせ、円形の絞り開口を形成させること、さらに耐久性を確保するため、装置が肉厚になることが問題であった。第８の実施形態では、駆動レバー１１０３から直接力を受ける絞り羽根の駆動孔部がすべて丸穴であるため、変形しにくい。そのため、絞り羽根の厚みを薄くすることが可能になり、装置の薄型化に有効である。
【０１４２】
以上説明したように、本実施形態の絞り装置は、各絞り羽根を、駆動リング等の絞り開口の周囲で回転する部品を用いずに、１つの駆動レバー１１０３を駆動させることで移動させる。そのため、絞り装置を長手方向および幅方向において小型化でき、さらに光軸方向での厚みを薄くすることができる。
【０１４３】
なお、本実施形態では、絞り羽根１１０４〜１１０７に孔部や溝部を形成し、駆動レバー１１０３や地板１１０２に形成されたピンをこれらの孔部や溝部に係合（挿入）させる場合について説明した。しかし、絞り羽根にピンを設け、これを駆動レバーや地板に形成された孔部や溝部に挿入する構成を採用することも可能である。
【０１４４】
＜第９の実施形態＞
図３０は、本発明の光量調節装置の第９の実施形態である絞り装置の分解斜視図である。図３１は、第９の実施形態の第５羽根対の正面図である。絞り羽根１１０５、絞り羽根１２０７は、第５の絞り羽根対を構成する。
【０１４５】
第９の実施形態は、第１の実施形態の絞り羽根１１０７が絞り羽根１２０７に置き換わったものである。
【０１４６】
絞り羽根１２０７は、駆動カム溝部１２０７ｉにおいて、駆動レバー１２０３の羽根駆動ピン１２０３ｉと摺動可能に係合している。また、絞り羽根１２０７に形成された係合部である回転中心孔部１２０７ｅには、地板１２０２に形成された回転中心部（回転中心軸部）としての回転中心ピン１２０２ｅが回転可能に係合している。
【０１４７】
駆動レバー１２０３が所定の角度範囲で回動すると、絞り羽根１２０７は、図３１に示すように、駆動カム溝部１２０７ｉが羽根駆動ピン１２０３ｉから駆動力を受け、回転中心孔部１２０７ｅが係合した回転中心ピン１２０２ｅを中心として光軸直交面内で回転（旋回）する。この回転の速さは、駆動カム溝部１２０７ｉの形状によって調整可能である。また、駆動カム溝部１２０７ｉの形状によって絞り開口の形状の補正も可能である。
【０１４８】
一対の直進羽根は、第１の実施形態と同様である。
【０１４９】
第９の実施形態では、図３２に示すように、開放絞り（左図）から閉じ切り（右図）までの各絞り状態において、円形に近い、またはほぼ正六角形の絞り開口を形成することができる。
【０１５０】
＜第８及び第９の実施形態のまとめ＞
第８及び第９の実施形態の概念をまとめるにあたり、「揺動羽根」とは、図２４の絞り羽根１１０５および絞り羽根１１０７のように、その回転中心となる羽根駆動ピン１１０３ｉが動くことにより、全体として揺動する運動を行う絞り羽根のことを意味する。また、「回動羽根」とは、図３０の絞り羽根１２０７のように、その回転中心となる回転中心ピン１２０２ｅが立設固定されていて、固定された中心の回りに回動する運動を行う絞り羽根のことを意味する。
【０１５１】
なお、第８の実施形態においては、上記一対の直進羽根及び第１羽根対は、ともに「揺動羽根」で構成されており、「回動羽根」は用いていない。第９の実施形態においては、上記の一対の直進羽根及び他の第５羽根対の一方は、ともに「揺動羽根」で構成されており、第５羽根対の他方が「回動羽根」で構成されている。
【０１５２】
以上説明した実施形態は代表的な例にすぎず、本発明の実施に際しては、各実施形態に対して種々の変形や変更が可能である。
【符号の説明】
【０１５３】
１０１  絞り駆動部
１０２  地板
１０３  駆動レバー
１０４  絞り羽根（一対の直進羽根の一方）
１０５  絞り羽根（第１の絞り羽根対の一方）
１０６  絞り羽根（第２の絞り羽根対の一方）
１０７  絞り羽根（一対の直進羽根の他方）
１０８  絞り羽根（第２の絞り羽根対の他方）
１０９  絞り羽根（第１の絞り羽根対の他方）
１１０  カバー
【図１】
0006356743.tif 000002
【図２】
0006356743.tif 000003
【図３】
0006356743.tif 000004
【図４】
0006356743.tif 000005
【図５】
0006356743.tif 000006
【図６】
0006356743.tif 000007
【図７】
0006356743.tif 000008
【図８】
0006356743.tif 000009
【図９】
0006356743.tif 000010
【図１０】
0006356743.tif 000011
【図１１】
0006356743.tif 000012
【図１２】
0006356743.tif 000013
【図１３】
0006356743.tif 000014
【図１４】
0006356743.tif 000015
【図１５】
0006356743.tif 000016
【図１６】
0006356743.tif 000017
【図１７】
0006356743.tif 000018
【図１８】
0006356743.tif 000019
【図１９】
0006356743.tif 000020
【図２０】
0006356743.tif 000021
【図２１】
0006356743.tif 000022
【図２２】
0006356743.tif 000023
【図２３】
0006356743.tif 000024
【図２４】
0006356743.tif 000025
【図２５】
0006356743.tif 000026
【図２６】
0006356743.tif 000027
【図２７】
0006356743.tif 000028
【図２８】
0006356743.tif 000029
【図２９】
0006356743.tif 000030
【図３０】
0006356743.tif 000031
【図３１】
0006356743.tif 000032
【図３２】
0006356743.tif 000033